(57)【要約】      （修正有）【課題】ユーザが使用する複数の決済方法に関する情報を適切に表示するプログラム、端末及び方法を提供する。【解決手段】決済情報表示システムＳにおいて、ユーザ端末１２は、サーバと通信可能な端末であって、表示部９１と、ユーザ端末１２又はユーザ端末１２のユーザを識別する識別情報の認証に基づいて、プリペイド方式の第１決済方法のチャージ金額を示す情報と、第１決済方法と異なる第２決済方法の利用額を示す情報と、第１決済方法、第２決済方法及びユーザ端末１２を用いたサービスの利用に基づいてユーザに付与され、統合して管理されるポイントの残高を示す情報と、を電子通貨管理装置１０から取得する取得部９３１と、取得部９３１が取得した情報に基づいて、チャージ金額とポイントの残高とを表示する表示画面と、第２決済方法の利用額を表示する表示画面とをユーザの操作に応じて表示部９１に表示させる表示制御部９３２と、を備える。【選択図】図９
2019016389.tif 000002
【特許請求の範囲】
【請求項１】
端末を、
前記端末又は前記端末のユーザを識別する識別情報の認証に基づいて、プリペイド方式の第１決済方法のチャージ金額を示す情報と、前記第１決済方法と異なる第２決済方法の利用額を示す情報と、前記第１決済方法、前記第２決済方法、及び前記端末を用いたサービスの利用に基づいてユーザに付与され、統合して管理されるポイントの残高を示す情報とをサーバから取得する取得部、及び、
前記取得部が取得した情報に基づいて、前記チャージ金額と前記ポイントの残高とを表示する第１画面と、前記第２決済方法の利用額を表示する第２画面とをユーザの操作に応じて前記端末が備える表示部に表示させる表示制御部と、
として機能させる表示制御プログラム。
【請求項２】
前記ポイントは、前記第２決済方法の利用額のうち、金額が確定している確定額に基づいて付与される、
請求項１に記載の表示制御プログラム。
【請求項３】
前記ポイントは、前記端末を用いたサービスに含まれる、前記端末を用いた通信サービスの利用に基づいて付与される、
請求項１又は２に記載の表示制御プログラム。
【請求項４】
前記表示制御部は、前記第２決済方法の利用額として、支払金額が確定した確定額と、支払金額が未確定の未確定額とを前記第２画面に表示させる、
請求項１から３のいずれか１項に記載の表示制御プログラム。
【請求項５】
サーバと通信可能な端末であって、
表示部と、
前記端末又は前記端末のユーザを識別する識別情報の認証に基づいて、プリペイド方式の第１決済方法のチャージ金額を示す情報と、前記第１決済方法と異なる第２決済方法の利用額を示す情報と、前記第１決済方法、前記第２決済方法、及び前記端末を用いたサービスの利用に基づいてユーザに付与され、統合して管理されるポイントの残高を示す情報とをサーバから取得する取得部と、
前記取得部が取得した情報に基づいて、前記チャージ金額と前記ポイントの残高とを表示する第１画面と、前記第２決済方法の利用額を表示する第２画面とをユーザの操作に応じて前記表示部に表示させる表示制御部と、
を備える端末。
【請求項６】
サーバと通信可能な端末が、前記端末又は前記端末のユーザを識別する識別情報の認証に基づいて、プリペイド方式の第１決済方法のチャージ金額を示す情報と、前記第１決済方法と異なる第２決済方法の利用額を示す情報と、前記第１決済方法、前記第２決済方法、及び前記端末を用いたサービスの利用に基づいてユーザに付与され、統合して管理されるポイントの残高を示す情報とを前記サーバから取得するステップと、
前記端末が、前記取得するステップにおいて取得された情報に基づいて、前記チャージ金額と前記ポイントの残高とを表示する第１画面と、前記第２決済方法の利用額を表示する第２画面とをユーザの操作に応じて前記端末が備える表示部に表示させるステップと、
を備える表示制御方法。
【発明の詳細な説明】
【技術分野】
【０００１】
本発明は、ユーザに紐づけられた決済情報を表示する表示制御プログラム、端末及び表示制御方法に関する。
【背景技術】
【０００２】
従来、金銭価値を有するクレジット、ポイント及びクーポン等の電子通貨の残高は、コンピュータにおいて管理されており、ユーザは、当該コンピュータを介して電子通貨の残高等を把握することができる。このような管理システムとして、例えば、特許文献１には、カードを読み込むと当該カードを用いた決済に関する情報を表示する方法が開示されている。
【先行技術文献】
【特許文献】
【０００３】
【特許文献１】特開平０７−０７３２４７号公報
【発明の概要】
【発明が解決しようとする課題】
【０００４】
ところで、ユーザが使用する複数の決済方法に関する情報を適切に表示することが求められている。
【０００５】
本発明は、このような要望に鑑みてなされたものであり、ユーザが使用する複数の決済方法に関する情報を適切に表示する表示制御プログラム、端末及び表示方法を提供することを目的とする。
【課題を解決するための手段】
【０００６】
本発明の第１の態様においては、端末を、前記端末又は前記端末のユーザを識別する識別情報の認証に基づいて、プリペイド方式の第１決済方法のチャージ金額を示す情報と、前記第１決済方法と異なる第２決済方法の利用額を示す情報と、前記第１決済方法、前記第２決済方法、及び前記端末を用いたサービスの利用に基づいてユーザに付与され、統合して管理されるポイントの残高を示す情報とをサーバから取得する取得部、及び、前記取得部が取得した情報に基づいて、前記チャージ金額と前記ポイントの残高とを表示する第１画面と、前記第２決済方法の利用額を表示する第２画面とをユーザの操作に応じて前記端末が備える表示部に表示させる表示制御部と、として機能させる表示制御プログラムを提供する。
【０００７】
また、前記ポイントは、前記第２決済方法の利用額のうち、金額が確定している確定額に基づいて付与されてもよい。
【０００８】
また、前記ポイントは、前記端末を用いたサービスに含まれる、前記端末を用いた通信サービスの利用に基づいて付与されてもよい。
【０００９】
また、前記表示制御部は、前記第２決済方法の利用額として、支払金額が確定した確定額と、支払金額が未確定の未確定額とを前記第２画面に表示させてもよい。
【００１０】
本発明の第２の態様においては、サーバと通信可能な端末であって、表示部と、前記端末又は前記端末のユーザを識別する識別情報の認証に基づいて、プリペイド方式の第１決済方法のチャージ金額を示す情報と、前記第１決済方法と異なる第２決済方法の利用額を示す情報と、前記第１決済方法、前記第２決済方法、及び前記端末を用いたサービスの利用に基づいてユーザに付与され、統合して管理されるポイントの残高を示す情報とをサーバから取得する取得部と、前記取得部が取得した情報に基づいて、前記チャージ金額と前記ポイントの残高とを表示する第１画面と、前記第２決済方法の利用額を表示する第２画面とをユーザの操作に応じて前記表示部に表示させる表示制御部と、を備える端末を提供する。
【００１１】
本発明の第３の態様においては、サーバと通信可能な端末が、前記端末又は前記端末のユーザを識別する識別情報の認証に基づいて、プリペイド方式の第１決済方法のチャージ金額を示す情報と、前記第１決済方法と異なる第２決済方法の利用額を示す情報と、前記第１決済方法、前記第２決済方法、及び前記端末を用いたサービスの利用に基づいてユーザに付与され、統合して管理されるポイントの残高を示す情報とを前記サーバから取得するステップと、前記端末が、前記取得するステップにおいて取得された情報に基づいて、前記チャージ金額と前記ポイントの残高とを表示する第１画面と、前記第２決済方法の利用額を表示する第２画面とをユーザの操作に応じて前記端末が備える表示部に表示させるステップと、を備える表示制御方法を提供する。
【００１２】
【発明の効果】
【００１３】
本発明によれば、ユーザが使用する複数の決済方法に関する情報を適切に表示することができる。
【図面の簡単な説明】
【００１４】
【図１】電子通貨管理システムの概要を示す図である。
【図２】電子通貨管理システムのシステム構成を示す図である。
【図３】カード管理サーバ及びキャリアサーバで管理する情報を示す図である。
【図４】ポイント管理サーバで管理する情報を示す図である。
【図５】カードを用いて商品を購入する際の動作を示す図である。
【図６】ユーザ端末を用いて商品を購入する際の動作を示す図である。
【図７】ユーザに対してポイントを付与する際の動作を示す図である。
【図８】ユーザに対してユーザ固有のサービスを提供する際の動作を示す図である。
【図９】ユーザ端末及び電子通貨管理装置の機能構成を示すブロック図である。
【図１０】ユーザ端末の表示画面例を示す図である。
【図１１】ユーザ端末の表示画面を切り替える際の動作例を示す図である。
【図１２】ユーザ端末の処理の流れを示すフローチャートである。
【発明を実施するための形態】
【００１５】
［電子通貨管理システムＳの概要］
初めに、図１を参照して、電子通貨管理システムＳの概要について説明する。図１に示すように、電子通貨管理システムＳは、ユーザの携帯電話（以下、「ユーザ端末１２」と呼ぶ）と、ユーザ端末１２がアクセス可能な電子通貨管理装置１０とを含んで構成される。電子通貨管理システムＳにおいて、ユーザは、クレジットカード及びプリペイドカード（以下、両者を総称して「カード１１」と呼ぶ）を所有しており、電子通貨管理装置１０は、カード１１の利用状況を、ユーザ端末１２において確認可能にする。
【００１６】
ここで、ユーザは、カード１１の利用状況として、例えば、１ヶ月間のカード１１の利用額の合計や、クレジットカードの翌月の請求額の確認を望む。電子通貨管理装置１０では、カード１１の利用履歴のうちユーザが確認を望む利用状況に合った履歴を取得し、ユーザ端末１２に提供する。具体的には、ユーザが１ヵ月間のカード１１の利用額の合計を望む場合には、電子通貨管理装置１０は、月初から月末までを期間（以下、「集計期間」と呼ぶ）としてカード１１の利用履歴を取得し、ユーザが翌月の請求額の確認を望む場合には、電子通貨管理装置１０は、クレジットカードの前月の請求締日の翌日から当月の請求締日までを期間（以下、「請求期間」と呼ぶ）としてカード１１の利用履歴を取得し、ユーザ端末１２に対して提供する。
これにより、ユーザは、自身が望むカード１１の利用状況を適切に確認することができる。以下、電子通貨管理システムＳを実現するための具体的な構成の一例について説明する。
【００１７】
［電子通貨管理システムＳのシステム構成］
図２は、電子通貨管理システムＳのシステム構成の一例を示す図である。図２に示すように、電子通貨管理システムＳは、ユーザ機器１と、ユーザ機器１がアクセス可能な電子通貨管理装置１０と、を含んで構成される。電子通貨管理装置１０は、カード管理サーバ２と、キャリアサーバ３と、ポイント管理サーバ４と、を含んで構成される。
【００１８】
ユーザ機器１は、電子通貨管理システムＳが提供するサービスを利用する各ユーザが用いる機器であり、カード１１と、ユーザ端末１２と、を含む。
【００１９】
カード１１は、国際ブランドの決済ＮＷ５０を利用して決済を行うカードであり、クレジットカード決済により利用額を後払いすることができるクレジットカード、又は予めチャージしておいた金額に基づいて利用額の決済を行うことができるプリペイドカード、又は、チャージ額を後払いするポストペイ型カードである。なお、カード１１として、これらの決済方式の何れかを選択可能な統合型のカードを用いることとしてもよい。
【００２０】
ユーザ端末１２は、通信キャリアが提供する通信ＮＷを介して通信（通話）を行う通信装置であり、例えば、携帯電話、スマートフォン、タブレットＰＣ等である。ユーザ端末１２には、所定のアプリケーションプログラムがインストールされており、当該プログラムに基づき実行されるアプリケーションを介して、ユーザ端末１２からカード１１の管理をすることができる。
【００２１】
カード管理サーバ２は、カード１１の利用履歴として、プリペイド方式の決済に対応する利用履歴と、クレジットカード決済方式に対応する利用履歴とをユーザ毎に管理するサーバである。ここで、図３（Ａ）及び図３（Ｂ）にカード管理サーバ２に記憶される各種情報の一例を示す。図３（Ａ）は、プリペイド方式の決済に伴いカード管理サーバ２に記憶される情報の一例を示し、図３（Ｂ）は、クレジットカード決済方式に伴いカード管理サーバ２に記憶される情報の一例を示す。
【００２２】
図３（Ａ）に示すように、カード管理サーバ２では、管理番号に関連付けてプリペイドカード番号、残高、及び利用履歴等の各種情報を記憶する。また、図３（Ｂ）に示すように、カード管理サーバ２では、管理番号に関連付けてクレジットカード番号、請求締日及び利用履歴等の各種情報を記憶する。以下、プリペイドカード番号及びクレジットカード番号の双方を示すとき、単に「カード番号」と呼ぶ。
【００２３】
カード番号は、カード１１に設定された概ね１６桁の英数字からなる番号であり、カード１１を識別するための識別情報である。管理番号は、カード番号に対して一意に対応する番号であり、他サーバと連携する際にカード番号に代えてカード１１を識別するために用いられる。残高は、カード１１に設定されたプリペイドカード番号によって指定される口座にチャージされた金額の残高を示す情報である。請求締日は、クレジットカードの利用額を合計する期日であり、請求期間を特定するために用いられる。利用履歴は、カード１１を用いた買い物の履歴であり、カード１１を利用した利用日、購入対象の商品／サービス、利用額、購入場所（店舗名）等を含む。
【００２４】
ここで、クレジットカードを用いた決済では、利用枠の確保を行った後に、店舗が売上処理を行うことで決済が行われる。利用枠を確保してから決済処理が行われるまでには、所定日数のずれが生じることが一般的であるため、クレジットカードを利用したタイミングでの金額は、決済処理が行われたタイミングの金額と異なることがある。
そこで、クレジットカードの利用履歴としては、図３（Ｂ）に示すように、クレジットカードを利用した利用日、利用額の暫定的な値である暫定額、店舗において売上処理が行われた処理日、及び利用額の確定的な値である確定額が含まれる。
【００２５】
図２に戻り、キャリアサーバ３は、通信キャリアが用いるサーバであり、ユーザ端末１２の利用に関する利用履歴を管理する。ユーザ端末１２の利用とは、例えばユーザ端末１２を用いたコンテンツ又は商品購入の決済及び通信料金に伴う利用を含む。キャリアサーバ３は、ユーザ端末１２の利用履歴に基づいて請求額を算出し、ユーザに対して請求する。
【００２６】
また、キャリアサーバ３は、電子通貨管理システムＳにおけるサービスをユーザ端末１２に提供する入口（ポータル）として機能する。例えば、キャリアサーバ３は、ユーザ端末１２からの要求に応じて、カード１１に関する情報（例えば、プリペイドカードのチャージ金額の残高、及びクレジットカードの所定期間内の請求額等）をカード管理サーバ２から取得し、ユーザ端末１２に通知する。同様に、キャリアサーバ３は、ユーザＩＤに関連付けられたポイントをポイント管理サーバ４から取得し、ユーザ端末１２にポイントの残数を通知する。
【００２７】
ここで、図３（Ｃ）にキャリアサーバ３において管理される各種情報の一例を示す。図３（Ｃ）に示すように、キャリアサーバ３では、ユーザＩＤに関連付けて、ユーザ端末１２の電話番号、請求額、利用履歴、契約ＩＤ、及び契約者名等の各種情報を記憶する。
ユーザＩＤは、ユーザ端末１２又は当該ユーザ端末１２を用いるユーザを識別する識別情報である。電話番号は、通信端末であるユーザ端末１２に設定された電話番号である。
【００２８】
また、請求額は、ユーザ端末１２の利用に伴いユーザに対して請求する金額であり、例えば、通信料金、ユーザ端末１２で利用したコンテンツの利用料金を含む。なお、通信キャリアによっては、携帯電話だけでなく、固定電話やケーブルテレビ等の複合的なサービスをユーザに提供することがあるため、請求額には、ユーザＩＤが示すユーザに対して提供しているサービスに関する料金を含めることとしてもよい。利用履歴は、ユーザ端末１２の利用した決済に関する履歴であり、請求が発生した利用態様の種別（例えば、コンテンツの利用料金、通信料金等）や日時を含む。
【００２９】
また、契約ＩＤは、通信キャリアと結んだ契約を識別する識別情報であり、契約者が、当該契約を行ったことを示す情報である。通信キャリアでは、通信料金を同一人又は家族の範囲でまとめて請求することがある。契約ＩＤ及び契約者名は、通信料金の請求をまとめる範囲、及びまとめた通信料金を請求する対象を判別するための情報である。
なお、図示しないものの、キャリアサーバ３は、ユーザＩＤに関連付けて、ユーザ端末１２の契約期限、契約日時等の契約に関する情報、また、ユーザ端末１２の利用に応じた請求額の支払いが済んでいる／遅延しているといった通信料金の支払いに関する情報を記憶することとしてもよい。
【００３０】
図２に戻り、ポイント管理サーバ４は、カード管理サーバ２が管理するカード１１の利用履歴、及びキャリアサーバ３が管理するユーザ端末１２の利用履歴を取得し、当該利用履歴に基づきユーザに付与するポイントを管理する。具体的には、ポイント管理サーバ４は、カード１１の利用（例えば、カードを用いた買い物）に基づき付与されるポイントと、ユーザ端末１２の利用（例えば、コンテンツの購入や通信料金の支払い）に基づき付与されるポイントとを統合して、ユーザに関連付けて管理する。
ここで、図４（Ａ）及び図４（Ｂ）にポイント管理サーバ４において管理される各種情報の一例を示す。
【００３１】
図４（Ａ）に示すように、ポイント管理サーバ４では、管理番号及びユーザＩＤに関連付けて、日時、利用履歴、確定ポイント、仮ポイント、及び合計ポイント等の各種情報を記憶する。ユーザＩＤは、ユーザ端末１２を用いるユーザを識別する識別情報であり、キャリアサーバ３と連携する際に用いられる。管理番号は、カード番号に一意に対応する番号であり、カード管理サーバ２と連携する際に用いられる。日時は、カード１１やユーザ端末１２の利用に伴いポイントが付与された日時、又は付与されたポイントが利用された日時である。また、利用履歴は、ポイントの付与に関する履歴、又はポイントの利用に関する履歴を示す。
【００３２】
また、確定ポイント及び仮ポイントは、カード管理サーバ２から取得したカード１１の利用履歴、及びキャリアサーバ３から取得した請求額に基づき、対応するユーザに対して付与したポイント数、又は当該ユーザが利用したポイント数を示す情報である。確定ポイントは、確定額に基づいて付与したポイント、又はユーザが利用したポイントであり、仮ポイントは、暫定額に基づいて付与したポイントである。また、合計ポイントは、ユーザに付与したポイントの合計数であり、確定ポイントの合計数、仮ポイントの合計数、及び確定ポイントと仮ポイントとの合計数を示す。
図４（Ａ）に示す例の場合、ユーザＩＤ「ＴＡＲＯ９７」には、カード１１及びユーザ端末１２の利用に伴い確定ポイントが合計で「８８０Ｐ」付与され、仮ポイントが合計で「１７０Ｐ」付与され、確定ポイントと仮ポイントとを併せて「１０５０Ｐ」付与されている。
【００３３】
また、図４（Ｂ）に示すように、ポイント管理サーバ４では、利用額や請求額に基づいて付与するポイントを算出するためのポイント付与レートを、利用形態に関連付けて記憶する。利用形態としては、カード１１の利用又はユーザ端末１２の利用が考えられるが、これら以外にも、カード１１を利用した店舗が通常店であるか、ポイント優遇店であるか等に応じて、レートを異ならせることとしてもよい。カード１１を利用した店舗を示す情報は、カード管理サーバ２から利用履歴を受信することで、取得することができる。
【００３４】
なお、ポイント管理サーバ４では、ユーザ端末１２を用いたサービスの提供者との契約が解除された場合に、ポイントを利用できない状態に変更してもよい。例えば、通信キャリアが、ユーザ端末１２を用いた通信サービスを提供し、通信料金に応じたポイントをユーザ端末１２のユーザに付与しているとする。この場合において、ポイント管理サーバ４は、ユーザ端末１２のユーザが通信キャリアとの契約を解除した旨の情報をキャリアサーバ３から取得すると、ユーザ端末１２に関連付けて記憶しているポイントを削除することとしてもよい。また、ポイント管理サーバ４は、ユーザ端末１２のユーザが通信キャリアとの契約を解除した旨の情報を取得すると、ポイントを利用できない旨を示すフラグを付加した状態でポイント残高を記憶してもよい。この場合には、ポイント管理サーバ４は、契約を解除してから所定期間以内に契約を再開したという通知を受けた場合に、上記のフラグを変更することにより、ポイントを利用できるようにしてもよい。
【００３５】
以上の構成の電子通貨管理システムＳでは、カード管理サーバ２と、キャリアサーバ３と、ポイント管理サーバ４とを連携しつつ、ユーザ端末１２に対してユーザの決済に関する情報を提供する。具体的には、電子通貨管理システムＳでは、カード番号及びユーザＩＤの双方に対して管理番号を関連付け、この管理番号を用いてカード１１の利用とユーザ端末１２の利用とを紐づけることで、カード１１に関する情報、ユーザ端末１２に関する情報、及び付与されたポイントに関する情報を統合し、管理する。そして、ユーザ端末１２から要求があった場合には、統合した情報を用いて決済情報を提供することで、ユーザが望むカード１１の利用状況を適切に提供することができる。
【００３６】
［電子通貨管理システムＳの動作］
以上、電子通貨管理システムＳの構成について説明した。続いて、図５〜図８を参照して、電子通貨管理システムＳの基本的な動作について説明する。
【００３７】
［カード１１利用時の動作］
初めに、図５を参照して、カード１１を用いて決済を行う際の動作について説明する。なお、カード１１は、現実の店舗やインターネット上の仮想店舗で用いることができる。
ステップＳ１１において、カード１１の利用に伴い、国際ブランドが提供する決済ＮＷ５０には、カード１１のカード番号及び商品購入に関する情報が通知される。例えば、現実の店舗で商品を購入する場合、カードリーダーを介してカード１１を読み取ることで、カード１１の情報が決済ＮＷ５０に通知され、仮想店舗で商品を購入する場合、ユーザ端末１２から所定の情報が送信されることで、カード１１の情報が決済ＮＷ５０に通知される。なお、商品購入に関する情報とは、例えば、購入日時、利用額、購入した商品、購入した店舗等の情報である。
【００３８】
決済ＮＷ５０において所定の決済処理が行われる際には、ステップＳ１２において、決済ＮＷ５０からカード管理サーバ２に対してカード番号及び商品購入に関する情報が通知される。カード管理サーバ２は、図３（Ａ）及び図３（Ｂ）に示すように、クレジットカード番号、及びプリペイドカード番号の夫々に関連付けて各種情報を管理しており、決済を行ったカード番号と、商品又はサービスの購入に関する情報を受信すると、受信したカード番号に関連する決済方式に対応する利用履歴に、当該情報に対応する利用履歴を追加する。
【００３９】
例えば、プリペイドカードが用いられた場合、ステップＳ１３Ａにおいて、カード管理サーバ２は、受信したプリペイドカード番号に関連付けられている残高から購入額を減算するとともに、利用履歴を追加する。
また、クレジットカードが用いられた場合、ステップＳ１３Ｂにおいて、カード管理サーバ２は、受信したクレジットカード番号の利用履歴を更新する。具体的には、カード管理サーバ２は、店舗から利用枠の確保の要求を受け付けると、利用履歴として当該要求を受け付けたタイミング（図３（Ｂ）における利用日）とともに暫定額を追加する。また、カード管理サーバ２は、店舗から売上処理を受け付けると、利用履歴として当該処理を受け付けたタイミング（図３（Ｂ）における処理日）とともに確定額を追加する。
【００４０】
続いて、ステップＳ１５において、カード管理サーバ２は、ポイント管理サーバ４に対して、ステップＳ１４で特定した管理番号とともに商品購入に関する情報を通知する。ポイント管理サーバ４では、取得した商品購入に関する情報に基づいて、管理番号に対応するユーザＩＤに関連付けられたポイントを更新する。
【００４１】
［ユーザ端末１２利用時の動作］
続いて、図６を参照して、ユーザ端末１２を用いて決済を行う際の動作について説明する。通信キャリアでは、ユーザ端末１２の通信料金と併せてサービスの利用料金を請求する所謂キャリア決済という決済方法が知られている。図６は、キャリア決済が行われる場合の動作例を示す。
ユーザ端末１２において有料のサービスを利用し、当該サービスの決済をキャリア決済で行うことをユーザが望むと、ステップＳ２１において、ユーザ端末１２は、ユーザ端末１２の利用に関する情報をユーザＩＤに関連付けてキャリアサーバ３に対して通知する。なお、ユーザ端末１２の利用に関する情報とは、例えば、サービスを利用した日時、サービスの利用料金や利用したサービス等の情報である。
【００４２】
キャリアサーバ３は、図３（Ｃ）に示すように、ユーザＩＤに関連付けて各種情報を管理しており、キャリア決済を行ったユーザＩＤと、ユーザ端末１２の利用に関する情報とを受信すると、受信したユーザＩＤに対応する利用履歴に、当該情報に対応する利用履歴を追加する。例えば、ステップＳ２２において、キャリアサーバ３は、受信したユーザＩＤに関連付けられている請求額にサービスの利用料金を加算するとともに、利用したサービス名や利用日時を利用履歴に追加する。
【００４３】
続いて、ステップＳ２３において、キャリアサーバ３は、ポイント管理サーバ４に対して、ユーザＩＤとともにユーザ端末１２の利用に関する情報を通知する。ポイント管理サーバ４では、取得した情報に基づいて、ユーザＩＤに関連付けられたポイントを更新する。
【００４４】
［ポイント付与時の動作］
続いて、図７を参照して、ユーザに対してポイントを付与する際の動作について説明する。上述したように、本実施形態の電子通貨管理システムＳでは、カード１１（プリペイドカード及びクレジットカード）を用いた商品等の購入に応じてポイントを付与するとともに、ユーザ端末１２の利用に応じてもポイントを付与する。
【００４５】
カード１１を用いた商品の購入に応じてポイントを付与する場合、ステップＳ３１において、ポイント管理サーバ４は、カード管理サーバ２から管理番号とともに商品購入に関する情報を取得する。すると、ステップＳ３２において、ポイント管理サーバ４は、商品を購入した店舗に応じたレートを特定し、当該レートに基づいて利用額に応じたポイントを算出する。なお、このステップＳ３１、ステップＳ３２の処理は、ユーザがカード１１を用いて商品を購入する度に行われる。
【００４６】
ここで、上述したようにクレジットカードの利用に応じて付与するポイントには、確定ポイントと仮ポイントとが含まれる。この点、ポイント管理サーバ４は、クレジットカードの利用履歴として暫定額のみが設定されている場合には、当該暫定額に基づいて仮ポイントを算出する。他方、クレジットカードの利用履歴として確定額が設定されている場合には、ポイント管理サーバ４は、確定額に基づいて確定ポイントを算出する。
【００４７】
利用額に応じたポイントを算出すると、ステップＳ３５において、ポイント管理サーバ４は、管理番号に対応するユーザＩＤに関連付けて記憶しているポイントに、算出したポイントを加算する。
なお、暫定額（未確定の利用額）に応じた仮ポイントを付与した後に利用額が確定した場合には、ポイント管理サーバ４は、利用額が確定する前に付与していた仮ポイントを削除するとともに、確定額に応じた確定ポイントをユーザに対して付与する。
【００４８】
また、ユーザ端末１２の利用に応じてポイントを付与する場合、ステップＳ３３において、ポイント管理サーバ４は、キャリアサーバ３からユーザＩＤとともに請求額を取得する。すると、ステップＳ３４において、ポイント管理サーバ４は、予め定められたレートに基づいて請求額に応じたポイントを算出する。なお、このステップＳ３３、ステップＳ３４の処理は、請求額が確定したタイミング（例えば、月末）に行われる。
請求額に応じたポイントを算出すると、ステップＳ３５において、ポイント管理サーバ４は、ユーザＩＤに関連付けて記憶しているポイントに、算出したポイントを加算する。
【００４９】
［ユーザに対してサービスを提供する際の動作］
続いて、図８を参照して、電子通貨管理システムＳを利用するユーザに対して当該ユーザ固有のサービスを提供する際の動作について説明する。
【００５０】
ステップＳ４１において、ユーザ端末１２がユーザＩＤを伴いキャリアサーバ３にアクセスすると、ステップＳ４２において、キャリアサーバ３は、ユーザＩＤをポイント管理サーバ４に対して通知する。ステップＳ４３において、ポイント管理サーバ４が通知されたユーザＩＤに応じたサービスに関する情報を取得し、キャリアサーバ３に通知すると、ステップＳ４４において、当該サービスは、キャリアサーバ３からユーザ端末１２に対して提供される。
【００５１】
なお、ユーザＩＤに応じたサービスとは、例えば、当該ユーザが所有するカード１１の利用履歴を確認可能にするサービスである。詳しくは後述するが、ポイント管理サーバ４は、プリペイドカードの利用履歴、及びクレジットカードの利用履歴を夫々個別に確認可能にするとともに、プリペイドカード及びクレジットカードの双方を統合した利用履歴を確認可能にする。
【００５２】
［実施形態］
本発明の表示装置は、以上説明した電子通貨管理システムＳにおいて好適に利用される。以下、本発明の表示装置を実現するための実施形態の一例について説明する。
【００５３】
［電子通貨管理システムＳの構成］
初めに、図９を参照して、電子通貨管理システムＳの構成について説明する。図９に示すように、電子通貨管理システムＳは、ユーザ毎の決済情報を管理する電子通貨管理装置１０、及びユーザに対して決済情報を表示するユーザ端末１２を含んで構成される。なお、電子通貨管理装置１０は、カード管理サーバ２、キャリアサーバ３及びポイント管理サーバ４のうちの何れか一のサーバにより実現されることとしてもよく、また、カード管理サーバ２、キャリアサーバ３及びポイント管理サーバ４が協働することにより実現されることとしてもよい。
【００５４】
電子通貨管理装置１０は、ポイント記憶部７１と、カード情報記憶部７２と、を含む。
【００５５】
ポイント記憶部７１は、サービスを利用するユーザを識別する識別情報（ユーザＩＤや管理番号）に関連付けて、当該ユーザに付与又は当該ユーザが利用したポイント、及びポイントが付与又は利用された時間情報を記憶する。具体的には、ポイント記憶部７１は、プリペイドカードの利用によりユーザに付与されたポイント、クレジットカードの利用によりユーザに付与されたポイント、プリペイドカード及びクレトカードの何れも利用しない取引に基づいてユーザに付与されたポイント、及びユーザが利用したポイントを記憶する。
ポイント記憶部７１に記憶される情報は、上述したポイント管理サーバ４に記憶される情報（図４（Ａ））に相当する。
【００５６】
なお、プリペイドカード及びクレジットカードの何れも利用しない取引に応じて付与されるポイントとは、例えば、上述のユーザ端末１２の利用したキャリア決済等に応じて付与されるポイントの他、ユーザＩＤに紐づけられた任意の取引に応じて付与されるポイントを含むこととしてよく、また、来店ポイント等の定期的に（一日一回）無料で付与されるポイントを含むこととしてもよい。
また、クレジットカードの利用では金額が確定するまでに時間がかかることから、ポイント記憶部７１は、クレジットカードの利用によりユーザに付与されたポイントとして、請求額のうちの確定額に基づいて付与される確定ポイントと、請求額のうちの暫定額に基づいて付与される仮ポイントと、を記憶することとしてもよい。
【００５７】
カード情報記憶部７２は、サービスを利用するユーザを識別する識別情報に関連付けて、プリペイドカードのチャージ残高及び利用履歴、並びにクレジットカードの請求締日（又は請求期間）及び利用履歴を記憶する。なお、プリペイドカード及びクレジットカードの利用履歴とは、カード１１を利用した利用日、購入対象の商品／サービス、利用額、購入場所（店舗名）等を含み、また、クレジットカードの利用履歴とは、利用額が確定しているか否か、利用額が確定した日（処理日）を含む。
カード情報記憶部７２に記憶される情報は、上述したカード管理サーバ２に記憶される情報（図３（Ａ）及び（Ｂ））に相当する。なお、図３（Ａ）及び（Ｂ）において、カード１１の情報は、管理番号に基づいて管理されているが、この管理番号は、図４（Ａ）に示すようにユーザＩＤに対応付けられているため、カード管理サーバ２は、ユーザを識別する識別情報（ユーザＩＤ）に関連付けてカード１１に関する情報を記憶しているといえる。
【００５８】
図９に戻り、ユーザ端末１２は、本発明の表示装置に相当し、表示部９１と、記憶部９２と、制御部９３と、を含んで構成される。
表示部９１は、液晶ディスプレイや有機ＥＬ（Electro-Luminescence）ディスプレイ等により構成され、制御部９３の制御に基づいて、ユーザが用いるカード１１の種別に応じた決済情報を表示する。表示部９１には、タッチパネル９１１が設けられており、ユーザの操作を受け付ける。
【００５９】
記憶部９２は、ＲＯＭ及びＲＡＭ等のメモリ又はハードディスク等の記憶媒体である。記憶部９２は、制御部９３を動作させるためのプログラム及び制御部９３が動作する際に生成されるデータを記憶する。
制御部９３は、例えばＣＰＵであり、記憶部９２に記憶されたプログラムを実行することにより、取得部９３１、表示制御部９３２及び判定部９３３として機能する。
【００６０】
取得部９３１は、ユーザ端末１２のユーザに対応付けて記憶されている情報を取得する。具体的には、取得部９３１は、ユーザが所有するプリペイドカード及びクレジットカードの夫々の利用履歴と、クレジットカードの利用に対する請求を行う請求期間と、プリペイドカード及びクレジットカードの利用額を集計する利用履歴の集計期間とを取得する。
上述したように、プリペイドカード及びクレジットカードの利用履歴とは、カード１１を利用した利用日、購入対象の商品／サービス、利用額、購入場所等を含む。また、クレジットカードの利用履歴とは、クレジットカードを利用した利用日（第１時間情報）に加え、クレジットカードの利用に対する決済処理が行われた処理日（第２時間情報）と、利用額が確定済みの確定履歴と、利用額が未確定の未確定履歴とを含む。
【００６１】
クレジットカードの請求期間は、電子通貨管理装置１０のカード情報記憶部７２に記憶される請求締日に基づいて取得することができる。取得部９３１は、例えば、前月の請求締日の翌日から当月の請求締日までを請求期間として取得する。また、プリペイドカード及びクレジットカードの集計期間は、例えば、ユーザが利用したカード１１の利用額を集計する１ヶ月等の期間であり、ユーザの操作に基づいて取得する。
【００６２】
ユーザが把握することを望むカード１１の利用状況として、例えば、クレジットカードの翌月の請求額や、１ヶ月等の所定期間のカード１１の利用額の合計が考えられる。１ヶ月間のカード１１の利用額の合計は、月初から月末までの期間であるのに対して、翌月の請求額は、請求締日に基づいて定まるため、月途中から翌月途中までの期間となる。そのため、請求期間と集計期間とは異なる期間となり、例えば、カード１１の翌月の請求額（請求期間）と当月の利用額の合計（集計期間）とをユーザに対して提供する場合、対象とする期間が異なることになる。ユーザ端末１２では、請求期間又は集計期間に基づいて表示を制御することで、ユーザが望むカード１１の利用状況を表示部９１に表示する。
【００６３】
表示制御部９３２は、取得部９３１が取得した各種情報に基づいて、カード１１の決済情報を表示する表示画面を、表示部９１に表示する。具体的には、表示制御部９３２は、プリペイドカードの決済情報を表示する表示画面２００、クレジットカードの決済情報を表示する表示画面２２０（第１画面）、又はプリペイドカード及びクレジットカード双方の決済情報を表示する表示画面２４０（第２画面）を、表示部９１に表示する。
ここで、表示部９１に表示される表示画面の一例を図１０に示す。図１０（Ａ）は、表示画面２００の一例であり、図１０（Ｂ）は、表示画面２２０の一例であり、図１０（Ｃ）は、表示画面２４０の一例である。
【００６４】
図１０（Ａ）に示すように、表示画面２００は、プリペイドカードにチャージされている金額の残高を示すカード残高表示２０１と、ユーザに付与されたポイント数を示すポイント数表示２０２とを含む。また、図１０（Ｂ）に示すように、表示画面２２０は、クレジットカードの利用に伴う翌月の請求予定額を示す請求額表示２２１と、過去の請求額の履歴を示す過去請求額表示２２２と、ユーザが所有するポイント数を示すポイント数表示２２３とを含む。
【００６５】
図１０（Ａ）及び図１０（Ｂ）に示すように、プリペイドカードの決済情報を表示する表示画面２００と、クレジットカードの決済情報を表示する表示画面２２０とでは、カード残高表示２０１と請求額表示２２１との表示は異なるものの、ユーザが所有するポイント数を示すポイント数表示２０２、２２３は共通する。即ち、ユーザが所有するポイント数（ユーザに付与されたポイントの合計からユーザが利用したポイントの合計を減算したポイント数）は、双方の表示画面において表示される。
ポイントは、プリペイドカードのチャージ残高のように決済に利用することができ、支払いに割り当てることができるため、所有するポイントを、ポイントが付与されるきっかけとなった決済種別に関わらず統合して表示することで、ユーザにとってみれば、決済に利用できる額（ポイント数）を一元的に把握することができ、好適である。
【００６６】
なお、プリペイドカード又はクレジットカードの決済情報とともに表示するポイント数は、確定ポイントの合計数であってもよく、確定ポイントと仮ポイントとの合計数であってもよく、確定ポイントの合計数と仮ポイントの合計数の夫々であってもよい。図１０に示す例の場合、ポイント数表示２０２、２２３は、確定ポイントの合計数を示している。
【００６７】
また、図１０（Ｃ）に示すように、表示画面２４０は、期間選択部２４１と、利用額表示２４２と、履歴表示２４３とを含む。
期間選択部２４１は、カード１１の利用額を集計する集計期間を選択するための操作部である。取得部９３１は、期間選択部２４１を介してユーザが選択した期間を集計期間として取得する。利用額表示２４２は、集計期間におけるカード１１の合計利用額を示す。利用額表示２４２は、カード１１（プリペイドカード及びクレジットカード双方）の合計利用額の表示に加え、同一の集計期間におけるプリペイドカードの合計利用額の表示、及び当該集計期間におけるクレジットカードの合計利用額を示す利用額表示２４２Ａを含む。また、履歴表示２４３は、集計期間におけるカード１１の利用履歴、例えば、利用日、利用場所、利用されたカード種別、利用額、購入商品等を示す。
【００６８】
表示制御部９３２は、取得部９３１が取得したクレジットカードの利用履歴のうち、請求期間内の利用履歴に基づいて図１０（Ｂ）に示す表示画面２２０を表示し、取得部９３１が取得したクレジットカード及びプリペイドカードの夫々の利用履歴のうち、集計期間内の利用履歴に基づいて図１０（Ｃ）に示す表示画面２４０を表示する。
具体的には、表示制御部９３２は、請求期間が前月の２１日から当月の２０日までである場合には、当該期間内のクレジットカードの利用額の合計を請求額表示２２１とする表示画面２２０を表示する。また、表示制御部９３２は、集計期間が１ヶ月である場合には、当該月の月初から月末までのクレジットカード及びプリペイドカードの利用額の合計を利用額表示２４２とする表示画面２４０を表示する。
【００６９】
このように表示画面２２０，２４０では、利用額を合計する期間が異なるため、図１０（Ａ）及び図１０（Ｂ）に示すように、請求額表示２２１と利用額表示２４２Ａとが異なることになる。
ユーザにとってみれば、翌月支払わなければならない金額を請求額表示２２１から把握できるとともに、例えば１ヶ月間に利用した金額を利用額表示２４２，２４２Ａから把握できるため、カード１１の利用状況を様々な観点から把握することができ、好適である。
【００７０】
ここで、クレジットカードを用いた決済では、クレジットカードを利用したタイミングと決済処理が行われたタイミングとで、所定日数のずれが生じることが一般的である。翌月支払わなければならない金額は、決済処理が行われたタイミングに基づき算出する必要がある一方で、１ヶ月間に利用した金額は、クレジットカードを利用したタイミングに基づいて算出することが好ましい。
【００７１】
そこで、表示制御部９３２は、クレジットカードの利用履歴のうち、決済処理が行われた処理日が請求期間内である利用履歴の利用額を合計したものを、請求額表示２２１として表示画面２２０を表示する。また、表示制御部９３２は、クレジットカードの利用履歴のうち、クレジットカードを利用した利用日が集計期間内である利用履歴の利用額、及び当該集計期間内のプリペイドカードの利用履歴の利用額を合計したものを、利用額表示２４２として表示画面２４０を表示する。
ユーザにとってみれば、クレジットカードの利用日と処理日とがずれた場合であっても、翌月支払わなければならない金額と１ヶ月間に利用した金額とを適切に把握することができ、好適である。
【００７２】
ところで、表示画面２４０は、集計期間内におけるカード１１の利用額の合計を表示するものであり、家計簿的に用いることができる。このような表示画面２４０では、クレジットカードの利用日と利用額とを把握可能にすることが重要であり、利用額が確定しているか未確定であるかは重要度が下がる。
そこで、表示制御部９３２は、表示画面２４０を表示する場合、利用額が確定しているか否かに関わらず、集計期間内のクレジットカード及びプリペイドカードの合計利用額を表示することとしてもよい。このとき、表示制御部９３２は、履歴表示２４３については、クレジットカードの利用履歴のうちの確定履歴と未確定履歴とを区別して表示することとしてもよい。
【００７３】
他方、表示画面２２０では、翌月支払わなければならない金額を把握可能にするため、利用額が確定しているか未確定であるかが重要である。そのため、表示制御部９３２は、基本的にはクレジットカードの利用履歴のうちの未確定履歴を用いることなく表示画面２２０を表示するが、一定の条件のもと、未確定履歴を用いて表示画面２２０を表示することとしてもよい。
【００７４】
また、表示制御部９３２は、表示画面２００，２２０，２４０を、ユーザから受け付けた操作入力に応じて切り替え可能に表示する。
ここで、図１１に、ユーザから受け付けた操作入力に応じて、表示画面２００，２２０，２４０を切り替える際の動作例を示す。本実施形態では表示部９１にタッチパネル９１１を設けているため、表示制御部９３２は、ユーザのスライド操作に基づいて、表示画面２００，２２０，２４０を切り替える。
【００７５】
一例として、表示部９１に表示画面２００が表示されている状況で、ユーザが右方向へのスライド操作を行うと、表示制御部９３２は、表示部９１の表示を表示画面２００から表示画面２２０に切り替え、左方向へのスライド操作を行うと、表示制御部９３２は、表示部９１の表示を表示画面２００から表示画面２４０に切り替える。また、表示部９１に表示画面２２０が表示されている状況で、ユーザが右方向へのスライド操作を行うと、表示制御部９３２は、表示部９１の表示を表示画面２２０から表示画面２４０に切り替え、左方向へのスライド操作を行うと、表示制御部９３２は、表示部９１の表示を表示画面２２０から表示画面２００に切り替える。また、表示部９１に表示画面２４０が表示されている状況で、ユーザが右方向へのスライド操作を行うと、表示制御部９３２は、表示部９１の表示を表示画面２４０から表示画面２００に切り替え、左方向へのスライド操作を行うと、表示制御部９３２は、表示部９１の表示を表示画面２４０から表示画面２２０に切り替える。
【００７６】
図９に戻り、判定部９３３は、クレジットカードの利用履歴のうちの未確定履歴を表示画面２２０に表示するか否かを判定する。ここで、判定部９３３による判定方法は任意であり、一例として、判定部９３３は、ユーザの指示に基づいて当該判定を行うことができる。
また、他の例として、判定部９３３は、判定対象の未確定履歴の利用日が請求期間の所定範囲内であるか否かに基づいて判定を行うこととしてもよい。クレジットカードの利用日が請求締日まで十分な時間がある場合、未だ決済処理が行われていないとしても、請求締日までに決済処理が行われる可能性がある。このような場合に、判定部９３３は、今は未確定であったとしても請求締日までに確定する可能性があるとして、当該未確定履歴を表示画面２２０に表示すると判定する。
【００７７】
なお、判定条件に用いる所定範囲は、任意に設定することができる。一例として、ユーザの選択に応じて所定範囲を設定することとしてもよい。
また、利用日と処理日との間隔は、クレジットカードが利用された店舗において売上処理が行われるタイミングに基づいて決まる。そこで、例えば、クレジットカードが利用された店舗毎に所定範囲を設定することとしてもよい。具体的には、クレジットカードの過去の履歴から、店毎にクレジットカードが利用されてから売上処理が行われるまでの間隔や、売上処理が行われるタイミング（例えば、毎月１９日に売上処理を行う等）を特定することで、店舗毎に所定範囲を設定する。
【００７８】
判定部９３３による判定は、ユーザ端末１２側で行うこととしてもよく、また、電子通貨管理装置１０側で行うこととしてもよい。即ち、判定部９３３は、ユーザ端末１２が備えることとしてもよく、また、電子通貨管理装置１０が備えることとしてもよい。
表示制御部９３２は、判定部９３３が未確定履歴を表示すると判定すると、当該未確定履歴を用いて表示画面２２０を表示する。このとき、表示制御部９３２は、確定履歴と未確定履歴とを異なる態様で表示することとしてもよい。一例として、表示制御部９３２は、翌月の請求予定額に含まれる暫定額をユーザが把握可能に請求額表示２２１を表示することとしてもよい。
【００７９】
［ユーザ端末１２の処理］
続いて、ユーザ端末１２における処理の流れについて説明する。図１２は、ユーザ端末１２の処理の流れを示すフローチャートである。
初めに、ステップＳ１０１において、ユーザ端末１２の表示制御部９３２は、表示対象の画面が、プリペイド画面（表示画面２００）であるか否かを判定する。この判定がＹＥＳの場合、ステップＳ１０２において、取得部９３１は、電子通貨管理装置１０から、プリペイドカードのチャージ残高及びユーザが現在所有しているポイントの残数を取得する。続いて、ステップＳ１０３において、表示制御部９３２は、取得した情報に基づいて、プリペイドカードの決済情報を表示する表示画面２００を生成し、表示部９１に表示する。
【００８０】
他方、ステップＳ１０１においてＮＯの場合、ステップＳ１０４において、表示制御部９３２は、表示対象の画面が、クレジット画面（表示画面２２０）であるか否かを判定する。この判定がＹＥＳの場合、ステップＳ１０５において、取得部９３１は、電子通貨管理装置１０から、請求締日を取得し、請求期間をセットする。続いて、ステップＳ１０６において、取得部９３１は、電子通貨管理装置１０から、セットした請求期間に請求する利用額の合計、過去に請求した請求額、及びポイントを取得する。続いて、ステップＳ１０７において、表示制御部９３２は、取得した情報に基づいて、クレジットカードの決済情報を表示する表示画面２２０を生成し、表示部９１に表示する。
【００８１】
他方、ステップＳ１０４においてＮＯの場合、ステップＳ１０８において、取得部９３１は、表示対象月を取得し、集計期間としてセットする。なお、表示対象月は、期間選択部２４１に基づいて取得され、初期状態では今月である。続いて、ステップＳ１０９において、取得部９３１は、電子通貨管理装置１０から、集計期間におけるプリペイドカード及びクレジットカードの利用履歴を取得する。続いて、ステップＳ１１０において、表示制御部９３２は、カード１１の利用履歴を表示する表示画面２４０を生成し、表示部９１に表示する。
【００８２】
［ユーザ端末１２の効果］
以上説明したユーザ端末１２によれば、カード１１の利用履歴のうち、請求期間内のクレジットカードの利用履歴に基づいて表示画面２２０を表示し、集計期間内のクレジットカード及びプリペイドカードの利用履歴に基づいて表示画面２４０を表示する。
ユーザにとってみれば、表示画面２２０からクレジットカードの翌月の請求額を把握することができ、また、表示画面２４０から１ヵ月間のカード１１の利用額の合計を把握することができる。そのため、ユーザ端末１２によれば、ユーザが望むカード１１の利用状況を適切に表示することができる。
【００８３】
また、ユーザ端末１２では、表示画面２２０に表示する利用履歴については、クレジットカードの処理日が請求期間内であるか否かに基づいて特定し、表示画面２４０に表示する利用履歴については、クレジットカードの利用日が集計期間内であるか否かに基づいて特定する。
これにより、クレジットカードの利用日と処理日とがずれた場合であっても、翌月支払わなければならない金額と１ヶ月間に利用した金額とを適切に表示することができる。
【００８４】
また、ユーザ端末１２では、表示画面２４０を表示する場合、クレジットカードの利用額が確定しているか否かに関わらず、期間内に利用されたカード１１の利用額の合計を表示する。カード１１の利用状況を家計簿的に把握する場合、利用額が確定しているか否かは関係ないため、ユーザが望むカード１１の利用状況を適切に表示することができ、好適である。
【００８５】
また、ユーザ端末１２では、表示画面２２０を表示する場合には、基本的にはクレジットカードの利用履歴のうちの未確定履歴を用いることなく表示画面２２０を表示する。これにより、表示画面２２０において翌月に支払わなければならない金額のみを正確に把握することができ、好適である。
一方で、ユーザ端末１２では、表示画面２２０についても、判定部９３３の判定のもと未確定履歴を表示することがある。例えば、未だ未確定であっても、請求締日までに確定する可能性が高い利用額については、表示画面２２０に対して表示することで、ユーザは、翌月に支払わなければならない金額を正確に把握することができ、好適である。
【００８６】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【符号の説明】
【００８７】
Ｓ・・・決済情報表示システム、１・・・ユーザ機器、１１・・・カード、１２・・・ユーザ端末、９１・・・表示部、９１１・・・タッチパネル、９２・・・記憶部、９３・・・制御部、９３１・・・取得部、９３２・・・表示制御部、９３３・・・判定部、２・・・カード管理サーバ、３・・・キャリアサーバ、４・・・ポイント管理サーバ、１０・・・電子通貨管理装置、７１・・・ポイント記憶部、７２・・・カード情報記憶部、５０・・・決済ＮＷ
【図１】
2019016389.tif 000003
【図２】
2019016389.tif 000004
【図３】
2019016389.tif 000005
【図４】
2019016389.tif 000006
【図５】
2019016389.tif 000007
【図６】
2019016389.tif 000008
【図７】
2019016389.tif 000009
【図８】
2019016389.tif 000010
【図９】
2019016389.tif 000011
【図１０】
2019016389.tif 000012
【図１１】
2019016389.tif 000013
【図１２】
2019016389.tif 000014